(57)【要約】【課題】ロータリーカッタを用いた従来のパリソン切断装置は、肉薄のパリソンや大径のパリソンまたは粘性の低い樹脂等にて形成されたパリソン切断するのに切断角度を小さくする必要から付加部材を設け、装置自体の構造を複雑にするなどの課題があった。【解決手段】パリソン切断装置のロータリーカッタ１を、その本体１ａの長手方向の片側に刃部分１ｂと他側に刃のない部分１ｃとを形成し、刃部分１ｂがその基部１ｄの回転軌道０１と刃の先端１ｅの回転軌道Ｏ２間にパリソンＰを包含する長さを持ち、かつ刃部分１ｂがパリソンに対する切断角を小さくするよう刃のない部分１ｃから外向きに円弧状に湾曲形状とした。これによって、肉薄のパリソンや大径のパリソン、または粘性の低い樹脂等にて形成されたパリソンを確実に切断することができる。【選択図】図５
2010110997.tif 000002
【特許請求の範囲】
【請求項１】
ロータリーカッタ本体の長手方向の一側に刃部分を形成すると共に、他側に刃のない部分を形成し、前記刃部分が該刃部分の基部の回転軌道と該刃部分の先端の回転軌道間に被切断物を包含する長さを有し、かつ前記刃部分が前記刃のない部分から外向きに円弧状に湾曲形成したことを特徴とするロータリーカッタ。
【請求項２】
前記刃部分を半径２００ｍｍないし５００ｍｍの円弧状に湾曲形成したことを特徴とする請求項１に記載のロータリーカッタ。
【請求項３】
押出機のヘッドから押し出されるパリソンを回転して切断するロータリーカッタを備え、該ロータリーカッタの本体の長手方向の一側に湾曲状の刃部分を形成すると共に、他側に刃のない部分を形成し、前記刃部分が該刃部分の基部の回転軌道と該刃部分の先端の回転軌道間に被切断物を包含する長さを有し、前記刃部分を前記刃のない部分から外向きに円弧状に湾曲形成したことを特徴とする中空成形機のパリソン切断装置。
【請求項４】
前記刃部分を、半径２００ｍｍないし５００ｍｍの円弧状に湾曲形成したことを特徴とする請求項３に記載の中空成形機のパリソン切断装置。
【発明の詳細な説明】
【技術分野】
【０００１】
本発明は、ロータリーカッタおよび中空成形機のパリソン切断装置に関し、特にパリソンの切断角を小さくして、粘度の低いパリソンや薄肉のパリソンを切断できるようにしたものである。
【背景技術】
【０００２】
中空成形機は、パリソン押出機から押し出して垂下したパリソンを成形金型内に収納した後、成形金型を型締めして、打込装置から成形金型内のパリソンにエアを吹き込むことによって成形金型内面のキャビティの形状に沿った中空成形品を成形するものである。
【０００３】
押出機のヘッドから押し出されたパリソンは、成形金型内に収納され型締めされる前に切断される。この切断方式としては、一般的に、一方向回転のロータリーカッタを用いて切断するロータリーカッタ方式（たとえば、特許文献１参照。）、または電熱線を用いて切断するホットカッタ方式（たとえば、特許文献２参照。）が知られている。
【０００４】
特許文献１に示すようなロータリーカッタ方式は、図６に示すように、回転カッタ１４８にて粘性の高い樹脂から形成されたパリソンの切断するのには適している。しかしながら、カッタ刃が溶融した樹脂と接触するために、パリソンの切断面の摩擦抵抗が多くなるという課題があり、肉薄のパリソン（概ね１．０ｍｍ以下のもの）、大径のパリソンまたはポリプロピレンやポリアミド等の比較的粘性の低い樹脂等によって形成されたパリソンを切断するには問題があった。
【０００５】
図６中、符号１４２はカッタを回転させるためのアクチュエータであるエアシリンダ、符号１４４はエアシリンダ１４２のロッド１４２ａの進退往復動により図中矢印方向に回転する回転板、符号１４７は回転板１４４の軸部１４４ａに下端に固定されかつカッタ１４８をボルト１４９にて取り付けた取付板である。
【０００６】
したがって、肉薄のパリソン、大径のパリソンまたは粘性の低い樹脂等にて形成されたパリソンを切断する場合は、ホットカッタ方式によらねばならなかった。
【０００７】
しかしながら、ホットカッタ方式は、電熱線に対する火災防止対策を必要とし、また電熱線の手作業による掃除を度々必要とするためその分、成形機のオペレータに負担が増加するというという課題があった。
【０００８】
そこで、本出願人は、特許文献３に記載されたように、肉薄のパリソン、大径のパリソンまたは粘性の低い樹脂等によって形成されたパリソンを、電熱線を必要とすることなく切断できるパリソン切断装置を開発した。
【０００９】
すなわち、図７および図８に示すように、パリソン２２５に対して回転するスライドアーム２０９のスライドブロック２１０に図中矢印方向へ摺動可能に設けてある両刃２１１ａを持つカッタ刃２１１を、原点位置から原点位置までの１回転方向へ移動させるとともに、図外のシリンダによってスライドブロック２１０を回転中心側のシャフト２０６へ引きながら移動させることによって、パリソン２２５に対するカッタ刃２１１の切断速度Ｓを大きく、かつ切断角度θを小さくしてパリソン２２５を切断するようにしたものである。
【００１０】
図７および図８中、符号２０７はロータリージョイント、符号２１５はタイミングベルト、符号２１６はプーリ、符号２１７はスライドアーム２０９をプーリ２１６およびタイミングベルト２１５を介してスライドアーム２０９をシャフト２０６中心に回転させる電動モータを示す。
【００１１】
このパリソン切断装置をさらに詳細に述べると、図８に示すように、パリソン２２５の切断前に回転中心であるシャフト２０６側に向かって引き移動させつつ、カッタ刃２１１を回転させてパリソン２２５を切断する。これによって、カッタ刃２１１の回転方向速度Ｓ１および直角方向速度Ｓ２との合成による切断速度Ｓは大きくなるとともに、切断速度θが小さくなる。したがって、肉薄のパリソンでも切り口が安定した切断を可能とした。
【特許文献１】特公平６−５１３４５号公報
【特許文献２】特開平５−６９４７４号公報
【特許文献３】特開平８−３０９８３８号公報
【発明の開示】
【発明が解決しようとする課題】
【００１２】
しかしながら、前記従来のパリソン切断装置は、エアシリンダやロータリージョイント等が必要なため構成部品数が多くなり、パリソン切断装置自体の構造を複雑にしていた。
【００１３】
しかも、カッタ部自体がスライドブロック等を有するためその構造も嵩高いものとなり、その分パリソンの切断位置が高くなって無駄なばりを発生させ、言い換えれば、原料樹脂の無駄を発生させていた。
【００１４】
本発明は、このような従来の構成が有していた問題を解決すようとするものであり、肉薄のパリソン、大径のパリソンまたは粘性の低い樹脂等にて形成されたパリソンを、容易かつ確実に切断することができるロータリーカッタおよびそれを用いた中空成形機のパリソン切断装置を提供することを目的とする
【課題を解決するための手段】
【００１５】
そして、本発明は上記目的を達成するために、請求項１に記載の発明は、ロータリーカッタ本体の長手方向の一側に刃部分を形成し、他側に刃のない部分を形成し、前記刃部分が該刃部分の基部の回転軌道と該刃部分の先端の回転軌道間に被切断物を包含する長さを有し、かつ前記刃部分を前記刃のない部分から外向きに円弧状に湾曲形成したことを特徴としている。
【００１６】
また、請求項２に記載の発明は、前記刃部分を半径２００ｍｍないし５００ｍｍの円弧状に湾曲形成したことを特徴としている。
【００１７】
請求項３に記載の発明は、押出機のヘッドから押し出されるパリソンを回転して切断するロータリーカッタを備え、該ロータリーカッタの本体の長手方向の一側に湾曲状の刃部分を形成すると共に、他側に刃のない部分を形成し、前記刃部分が該刃部分の基部の回転軌道と該刃部分の先端の回転軌道間に被切断物を包含する長さを有し、前記刃部分を前記刃のない部分から外向きに円弧状に湾曲形成したことを特徴としている。
【００１８】
さらに、請求項４に記載の発明は、前記刃部分を、半径２００ｍｍないし５００ｍｍの円弧状の湾曲形成したことを特徴としている。
【発明の効果】
【００１９】
請求項１に記載の発明によれば、ロータリーカッタは、刃部分の円弧状の湾曲形状を活かし、被切断物に対する切断角度を小さくして、刃部分が被切断物を押し引きながら切断する。したがって、肉薄の被切断物、大径の被切断物または粘性の低い樹脂等にて形成された被切断物でも、切口が安定した切断を可能とする。
【００２０】
また、請求項２に記載の発明は、刃部分の円弧状湾曲を半径（Ｒ）２００ｍｍないし５００ｍｍとしたので、被切断物に対する好ましい切断角度にするという効果を奏する。
【００２１】
刃部分の円弧状湾曲が半径（Ｒ）２００ｍｍより小さく、他方、刃部分の円弧状湾曲が半径（Ｒ）５００ｍｍより大きくなると、被切断物に対する好ましい切断角度が大きくなり、肉薄の被切断物、大径の被切断物または粘性の低い樹脂等にて形成された被切断物の切断には好ましくない。
【００２２】
請求項３に記載の発明によれば、ロータリーカッタが刃部分の円弧状の湾曲形状を活かし、パリソンに対する切断角度を小さくして、刃部分がパリソンを押し引きながら切断する。したがって、肉薄のパリソン、大径のパリソンまたは粘性の低い樹脂等にて形成されたパリソンでも、切口が安定した切断を可能とする効果を奏する。
【００２３】
さらに、請求項４に記載の発明によれば、刃部分の円弧状湾曲を半径（Ｒ）２００ｍｍないし５００ｍｍとしたので、パリソンに対する好ましい切断角度にするという効果を発揮する。刃部分の円弧状湾曲が半径（Ｒ）２００ｍｍより小さく、他方、刃部分の円弧状湾曲が半径（Ｒ）５００ｍｍより大きくなると、パリソンに対する好ましい切断角度が大きくなり、肉薄のパリソン、大径のパリソンまたは粘性の低い樹脂等にて形成されたパリソンの切断には好ましくない。
【発明を実施するための最良の形態】
【００２４】
以下、本発明のロータリーカッタおよびそれを用いた中空成形機のパリソン切断装置の実施の形態を説明する。
【００２５】
図１および図２に示すように、ロータリーカッタ１は、いわゆる鎌のような刃構造であり、ロータリーカッタ本体１ａの長手方向の一側に刃部分１ｂと他側に刃のない部分１ｃとを形成している。刃部分１ｂは、刃の基部１ｄから刃の先端１ｅに至って被切断物である筒状パリソンＰに対する切断角を小さくするように刃のない部分１ｃから外向きに半径（Ｒ）が３００ｍｍの円弧状に湾曲形状に形成されている。図１および図２中、符号１ｆは刃部分１ｂと刃のない部分１ｃとの境目、符号１ｇは取り付け用孔を示す。
【００２６】
刃部分１ｂの外向きの円弧状湾曲反り度は、半径（Ｒ）が２００ｍｍないし５００ｍｍとするのが、被切断物に対する切断角度を小さくする観点から好ましい。
【００２７】
ロータリーカッタ１の刃部分１ｂの長さは、基部１ｄの回転軌道と刃の先端１ｅの回転軌道間に被切断物を包含する切断域をカバーできる長さである。刃部分１ｂの円弧状湾曲反り度は、この刃部分１ｂの長さの関係で決まる。
【００２８】
図示例は、刃部分１ｂの寸法は、基部１ｄ外端縁から刃の先端１ｅの長手方向先端までの長さＬ１に対して基部１ｄ外端縁から刃の先端１ｅの幅方向先端までの幅Ｌ２の比がたとえば１：０．７になるよう形成されている。長さＬ１は、ロータリーカッタ１の回転半径と類似した値である。
【００２９】
刃部分１ａ自体は、図示例において、たとえば厚さｔが１．６ｍｍ、幅Ｌ３が１５ｍｍ、傾斜角αが６度に形成されているが、いわゆる切れ味があればこれらに限定されるものではない。刃の先端１ｄの面取り角度βは４５度に設定している。
【００３０】
ロータリーカッタ1の刃部分１ｂは、図２に示すような包丁のいわゆる片刃構造が刃付け作業が簡単にできることから好ましいが、包丁のいわゆる両刃構造であってもよい。
【００３１】
かかるロータリーカッタ１を備えたパリソン切断装置１０は、図３ないし図５に示すように、水平配置のベースペレート１１の長手方向両端に、その直交方向で、かつ水平方向に長孔１１ａ，１１ｂと、これら長孔と直交する鉛直方向に長孔１１ｃ，１１ｄを形成し、これら各長孔に通したボルト１２，１３，１４，１５によってベースプレート１１自体を水平方向および鉛直方向にスライド自在に取り付けている。
【００３２】
ベースプレート１１は、シャフト１６を支承した軸受部１７を固定しているシャフト１６に、スライドアーム１８が回転自在にボルト１９によって軸支されており、図１に示したロータリーカッタ１の回転中心ＯＳとなる。スライドアーム１８の先端に、ロータリーカッタ１が取り付け用の孔１ｇに通して３本のボルト２０によって固定されている。
【００３３】
支持ベース６０は、図３に示すように、パリソン押出機５０近傍に平行に配設されていて、図外の押出機のヘッド５０に対しロータリーカッタ１の位置を水平方向および鉛直方向に調節可能に、ベースプレート１１およびスライドアーム１８を、上述の長孔１１ａ，１１ｂ，１１ｃ，１１ｄとボルト１２，１３，１４，１５によって調節可能としている。ダイス５１は、パリソンの押し出し口になる。
【００３４】
ロータリーカッタ１は、その回転時に図３中に２点鎖線で示すように、ヘッド５１から成形金型に向けて垂下するパリソンを切断するような位置に配設されている。図３中、符号７０は成形金型、符号７１および７２は成形金型７０を構成する一対の割型７０ａ，７０ｂを取り付けたプラテンを示している。
【００３５】
ベースプレート１１は、スライドアーム１８をシャフト１６中心に１回転させる電動機２１をモータ支持体２２を介して取り付けている。電動機２１は、サーボモータ等を使用することができ、出力軸２１ａに軸着したプーリ２３とシャフト１６に軸着したプーリ２４との間に、タイミングベルト２５を巻回し、電動機２１の回転駆動力がプーリ２３，タイミングベルと２５，タイミングベル２５を介してシャフト１６に伝わるようになっている。
【００３６】
平面半円形の内部中空のカバーベース２６は、回転するロータリーカッタ１から中空成形機のオペレータを護るものであり、ベースプレート１１の一端部にボルト２７にて取り付けたＬ字型ブラケット２８にボルト３０によって固定されている。さらに、カバーベース２６は、ベースプレート１１の他端部にボルト３１によって取り付けたＬ字型ブラケット３２にボルト３４によって固定されている。
【００３７】
なお、ロータリーカッタ１が１回転して原点位置に復帰した上方に、図外の拡散器を配置してもよく、この拡散器から冷却水、またはその他の冷却媒体からなる冷却用流体が噴霧され、潜熱によりロータリーカッタ１が冷却されて、パリソンＰに接触して上昇した刃温が低下するとともに、次回の切断に際して界面活性によりパリソンＰの切断面の摩擦抵抗を少なくすることができ、パリソンＰの切口の安定性を確保することができる。
【００３８】
次に、前記ロータリーカッタおよびそれを用いた中空成形機のパリソン切断装置の動作を説明する。
【００３９】
ヘッド５０のダイス５１から押し出されて垂下したパリソンＰを成形金型７０に収納して把持すると同時に、電動機２１が作動し、電動機２１の回転力がプーリ２３，タイミングベルト２５，プーリ２４およびシャフト１６を介して回転アーム１８を回転させ、図３および図５にてカバーベース２６内にあって待機状態だったロータリーカッタ１を図５矢印Ｂ方向へ回転始動させる。
【００４０】
ロータリーカッタ１は、図３および図５の二点鎖線で示すように、パリソンＰに対して刃部分１ｂの円弧状の湾曲形状を活かして、２本の並んだパリソンＰを刃部分１ｂが引き押しながら切断する。
【００４１】
このとき、パリソンＰは、刃の基部１ｄの回転軌道Ｏ１と刃の先端１ｅの回転軌道Ｏ２間の領域内にある。このように、切断角度を小さくしてパリソンＰを切断する。したがって、肉薄のパリソン、大径のパリソンまたは粘性の低い樹脂等にて形成されたパリソンでも、切口が安定した切断を可能とする。
【００４２】
ロータリーカッタ１は、２本のパリソンＰを切断後、回転し続けて待機位置まで復帰する。
【００４３】
かくして、肉薄のパリソン、大径のパリソンまたは粘性の低い樹脂等にて形成されたパリソンを、ホットカッタ方式によらずに、ロータリーカッタ方式でパリソンの切口を高安定性にして切断することができる。
【図面の簡単な説明】
【００４４】
【図１】本発明の実施形態を示すカッタの平面図である。
【図２】同カッタの正面図である。
【図３】同カッタを具備した中空成形機のパリソン切断装置の正面図である。
【図４】同パリソン切断装置を拡大した側面図である。
【図５】同パリソン切断装置の一部の平面図である。
【図６】従来のパリソン切断装置の平面図である。
【図７】従来の別のパリソン切断装置の平面図である。
【図８】図７に示したパリソン切断装置のカッタ刃によるパリソン切断を示す概要図である。
【符号の説明】
【００４５】
１…ロータリーカッタ
１ａ…ロータリーカッタ本体
１ｂ…刃部分
１ｃ…刃のない部分
１ｄ…刃基部
１ｅ…刃先端
１０…パリソン切断装置
１１…ベースプレート
１６…シャフト
２１…電動機
２３，２４…プーリ
２５…タイミングベルト
５０…ヘッド
５１…ダイス
６０…支持ベース
Ｐ…パリソン
【図１】
2010110997.tif 000003
【図２】
2010110997.tif 000004
【図３】
2010110997.tif 000005
【図４】
2010110997.tif 000006
【図５】
2010110997.tif 000007
【図６】
2010110997.tif 000008
【図７】
2010110997.tif 000009
【図８】
2010110997.tif 000010